(57)【要約】【課題】上部ユニットケース３を閉止するときには制動作用を発揮し、開き回動するとき軽快に移動できる開閉装置を提供する。【解決手段】下部案内部材６を備えた下部ユニットケース２と、上部案内部材７を備えた上部ユニットケース３は、ヒンジ部４を介して上下開閉回動可能に装着され、下部案内部材６と上部案内部材７とに沿って摺動可能に連結された移動体１０は、第１リンク１１と、これに回動可能に連結された第２リンク１２とを有する。上部ユニットケース３を閉止するとき、第１リンク１１と第２リンク１２との夾角が広がり、第１リンク１１の下面側に設けられたブレーキ部材２５が下部ユニットケース２に設けられた上向き開放溝１６に対して挿入されて移動体１０が停止する。【選択図】図３
2011245827.tif 000002
【特許請求の範囲】
【請求項１】
下部ユニットケースと上部ユニットケースとを一側に設けたヒンジ部を介して上下開閉回動可能に装着し、
前記下部ユニットケースには前記ヒンジ部側から開放端部側に向かって実質的に水平状且つ直線状に延びるように下部案内部材が備えられ、
前記上部ユニットケースには前記ヒンジ部側から開放端部側に下向き凸湾曲線状に延びるように上部案内部材が備えられ、
前記下部案内部材と前記上部案内部材とに沿って移動可能に連結される移動体は、下面側にブレーキ部材が設けられた第１リンクと第２リンクとからなり、
前記第１リンクと第２リンクとの上部間が支軸を介して回動可能に連結され、
前記支軸に枢支された第１回転体は前記上部案内部材に沿って移動可能に嵌まり、
前記第１リンクに設けられた第２回転体及び前記第２リンクに設けられた第３回転体は前記下部案内部材に沿って移動可能に嵌まり、
前記上部ユニットケースを前記下部ユニットケースに対して開閉する動作により、前記支軸を中心とする前記第１リンクと第２リンクとの夾角が変動して、前記ブレーキ部材が前記下部ユニットケースに設けられた上向き開放溝に対して挿抜することにより、ブレーキＯＮ／ＯＦＦ作用が発揮されるように構成されていることを特徴とする上部ユニットケースの開閉装置。
【請求項２】
前記上部ユニットケースを前記下部ユニットケースに対して閉止する動作につれて、前記夾角が広がり、前記ブレーキ部材が前記上向き開放溝に対して押し込まれ、
前記上部ユニットケースを前記下部ユニットケースに対して開放する動作につれて、前記夾角が狭まり、前記ブレーキ部材が前記上向き開放溝から抜き出るように構成されていることを特徴とする請求項１に記載の上部ユニットケースの開閉装置。
【請求項３】
下部ユニットケースと上部ユニットケースとを一側に設けたヒンジ部を介して上下開閉回動可能に装着し、
前記下部ユニットケースには前記ヒンジ部側から開放端部側に上向き凸湾曲線状に延びるように下部案内部材が備えられ、
前記上部ユニットケースには前記ヒンジ部側から開放端部側に向かって実質的に水平状且つ直線状に延びるように上部案内部材が備えられ、
前記下部案内部材と前記上部案内部材とに沿って移動可能に連結される移動体は、上面側にブレーキ部材が設けられた第１リンクと第２リンクとからなり、
前記第１リンクと第２リンクとの下部間が支軸を介して回動可能に連結され、
前記支軸に枢支された第１回転体は前記下部案内部材に沿って移動可能に嵌まり、
前記第１リンクに設けられた第２回転体及び前記第２リンクに設けられた第３回転体は前記上部案内部材に沿って移動可能に嵌まり、
前記上部ユニットケースを前記下部ユニットケースに対して開閉する動作により、前記支軸を中心とする前記第１リンクと第２リンクとの夾角が変動して、前記ブレーキ部材が前記下部ユニットケースに設けられた下向き開放溝に対して挿抜することにより、ブレーキＯＮ／ＯＦＦ作用が発揮されるように構成されていることを特徴とする上部ユニットケースの開閉装置。
【請求項４】
前記上部ユニットケースを前記下部ユニットケースに対して閉止する動作につれて、前記夾角が広がり、前記ブレーキ部材が前記下向き開放溝に対して押し込まれ、
前記上部ユニットケースを前記下部ユニットケースに対して開放する動作につれて、前記夾角が狭まり、前記ブレーキ部材が前記下向き開放溝から抜き出るように構成されていることを特徴とする請求項３に記載の上部ユニットケースの開閉装置。
【請求項５】
前記第１リンクと第２リンクの自由端側は、長孔とそれに沿って摺動可能なピンとにより、前記夾角が所定範囲内に制限されるように相互に連結されていることを特徴とする請求項１乃至４のいずれかに記載の上部ユニットケースの開閉装置。
【請求項６】
前記ブレーキ部材を有する前記第１リンクは前記ヒンジ部側に配置されていることを特徴とする請求項１乃至５のいずれかに記載の上部ユニットケースの開閉装置。
【請求項７】
前記第１回転体と前記第２及び第３回転体は、前記上部ユニットケースの開閉動時に前記対応する上部または下部案内部材から外れ不能に構成されていることを特徴とする請求項１乃至６のいずれかに記載の上部ユニットケースの開閉装置。
【発明の詳細な説明】
【技術分野】
【０００１】
本発明は、下部ユニットケースに対して、開閉回動可能に装着される上部ユニットケースの開閉装置に係り、より詳しくはその上部ユニットケースの閉止方向への動作を任意の位置で停止（制動）または緩慢に閉まることができるようにした上部ユニットケースの開閉装置の構成に関する。
【背景技術】
【０００２】
従来から、プリンタ、ファクシミリ、複写機等の画像記録装置において、給紙部、記録部等を搭載した下部ユニットケースに対して、原稿読取部を搭載した上部ユニットケースの一側をヒンジを介して開閉回動可能に装着し、メンテナンス時や紙詰まり処理などに際して上部ユニットケースを一旦大きく開いた状態から閉じるとき、閉じ終わり区間で、上部ユニットケースの回動に制動を掛ける構成が種々提案されている。
【０００３】
例えば、特許文献１に記載の技術では、上部ユニットケースと下部ユニットケースとをガススプリングにて連結すると共に、上部ユニットケースの下面自由端側に下向きにコイルスプリングを配置し、上部ユニットケースの閉じ終わり区間でコイルスプリングの一端が下部ユニットケースにおける受け部で支持されて、上部ユニットケースが急激に閉じるのを防止する構成が開示されている。
【０００４】
他方、特許文献２では、上部ユニットケース（カバー）の側面に下向きに突設させた円弧状のガイド部材（案内部材）には、円弧状のガイド溝が形成され、下部ユニットケース（筐体）の一側に設けたボルト軸をガイド溝に挿通すると共に、このボルトの頭とバネ材にて案内部材を挟み付けすることにより、上部ユニットケースの任意の回動角度で位置保持できるように構成し、さらに、上部ユニットケースが下部ユニットケースに対して閉止位置では、下部ユニットケースに設けたトーションスプリングにて上部ユニットケースを上向き付勢する技術が開示されている。
【先行技術文献】
【特許文献】
【０００５】
【特許文献１】特開平１1-３８７１４号公報（図１及び図２参照）
【特許文献２】実公平１−２９８１５号公報（第３図及び第６図参照）
【発明の概要】
【発明が解決しようとする課題】
【０００６】
しかしながら、特許文献１及び２の開閉装置では、ガススプリングなどの寸法の大きい部品を必要とする。上部ユニットケースを下部ユニットケースに対して閉じるときの速度を緩慢にするために、ガススプリングに代えて直線状のオイルダンパーを設けたり、ヒンジ部にロータリオイルダンパーを付加することも考えられるが、このようにすると、開閉装置の構成がますます複雑になったり、下部ユニットケース等の製品全体に占める開閉装置の割合が大きくなり、製品が大型化するという問題があった。
【０００７】
本発明は、構成部品の簡素化及び小型化を図りながら、上部ユニットケースの閉止方向の移動時に、任意の回動角度で停止（制動）または緩慢に閉まるようにした開閉装置を提供することを目的とするものである。
【課題を解決するための手段】
【０００８】
前記目的を達成するため、請求項１に記載の発明の上部ユニットケースの開閉装置は、下部ユニットケースと上部ユニットケースとを一側に設けたヒンジ部を介して上下開閉回動可能に装着し、前記下部ユニットケースには前記ヒンジ部側から開放端部側に向かって実質的に水平状且つ直線状に延びるように下部案内部材が備えられ、前記上部ユニットケースには前記ヒンジ部側から開放端部側に下向き凸湾曲線状に延びるように上部案内部材が備えられ、前記下部案内部材と前記上部案内部材とに沿って移動可能に連結される移動体は、下面側にブレーキ部材が設けられた第１リンクと第２リンクとからなり、前記第１リンクと第２リンクとの上部間が支軸を介して回動可能に連結され、前記支軸に枢支された第１回転体は前記上部案内部材に沿って移動可能に嵌まり、前記第１リンクに設けられた第２回転体及び前記第２リンクに設けられた第３回転体は前記下部案内部材に沿って移動可能に嵌まり、前記上部ユニットケースを前記下部ユニットケースに対して開閉する動作により、前記支軸を中心とする前記第１リンクと第２リンクとの夾角が変動して、前記ブレーキ部材が前記下部ユニットケースに設けられた上向き開放溝に対して挿抜することにより、ブレーキＯＮ／ＯＦＦ作用が発揮されるように構成されているものである。
【０００９】
請求項２に記載の発明は、請求項１に記載の上部ユニットケースの開閉装置において、前記上部ユニットケースを前記下部ユニットケースに対して閉止する動作につれて、前記夾角が広がり、前記ブレーキ部材が前記上向き開放溝に対して押し込まれ、前記上部ユニットケースを前記下部ユニットケースに対して開放する動作につれて、前記夾角が狭まり、前記ブレーキ部材が前記上向き開放溝から抜き出るように構成されているものである。
【００１０】
請求項３に記載の発明は、下部ユニットケースと上部ユニットケースとを一側に設けたヒンジ部を介して上下開閉回動可能に装着し、前記下部ユニットケースには前記ヒンジ部側から開放端部側に上向き凸湾曲線状に延びるように下部案内部材が備えられ、前記上部ユニットケースには前記ヒンジ部側から開放端部側に向かって実質的に水平状且つ直線状に延びるように上部案内部材が備えられ、前記下部案内部材と前記上部案内部材とに沿って移動可能に連結される移動体は、上面側にブレーキ部材が設けられた第１リンクと第２リンクとからなり、前記第１リンクと第２リンクとの下部間が支軸を介して回動可能に連結され、前記支軸に枢支された第１回転体は前記下部案内部材に沿って移動可能に嵌まり、前記第１リンクに設けられた第２回転体及び前記第２リンクに設けられた第３回転体は前記上部案内部材に沿って移動可能に嵌まり、前記上部ユニットケースを前記下部ユニットケースに対して開閉する動作により、前記支軸を中心とする前記第１リンクと第２リンクとの夾角が変動して、前記ブレーキ部材が前記下部ユニットケースに設けられた下向き開放溝に対して挿抜することにより、ブレーキＯＮ／ＯＦＦ作用が発揮されるように構成されているものである。
【００１１】
請求項４に記載の発明は、請求項３に記載の上部ユニットケースの開閉装置において、前記上部ユニットケースを前記下部ユニットケースに対して閉止する動作につれて、前記夾角が広がり、前記ブレーキ部材が前記下向き開放溝に対して押し込まれ、前記上部ユニットケースを前記下部ユニットケースに対して開放する動作につれて、前記夾角が狭まり、前記ブレーキ部材が前記下向き開放溝から抜き出るように構成されているものである。
【００１２】
請求項５に記載の発明は、請求項１乃至４のいずれかに記載の上部ユニットケースの開閉装置において、前記第１リンクと第２リンクの自由端側は、長孔とそれに沿って摺動可能なピンとにより、前記夾角が所定範囲内に制限されるように相互に連結されているものである。
【００１３】
請求項６に記載の発明は、請求項１乃至５のいずれかに記載の上部ユニットケースの開閉装置において、前記ブレーキ部材を有する前記第１リンクは前記ヒンジ部側に配置されているものである。
【００１４】
請求項７に記載の発明は、請求項１乃至６のいずれかに記載の上部ユニットケースの開閉装置において、前記第１回転体と前記第２及び第３回転体は、前記上部ユニットケースの開閉動時に前記対応する上部または下部案内部材から外れ不能に構成されているものである。
【発明の効果】
【００１５】
請求項１乃至請求項４に記載の発明によれば、上部ユニットケースを閉じ方向に押圧すると、下部案内部材と上部案内部材とに沿って摺動可能に連結された移動体における第１リンクと、第２リンクとの夾角が広がり、上部ユニットケースを下部ユニットケースに対して開閉する動作につれて、夾角が狭まる。これにより、第１リンクに設けられたブレーキ部材が下部ユニットケースに設けられた上向き開放溝（または上部ユニットケースに設けられた下向き開放溝）に対して挿抜するので、上部ユニットケースの閉じ方向への移動に負荷が掛かって制動作用が発揮されるので、ゆっくり閉めること、または任意の位置で停止させることができる。他方、上部ユニットケースを開くときには制動（負荷）がかからず、軽快に開くことができる。そして、開閉装置の構成を簡単且つ小型化することができるという効果を奏する。
【００１６】
請求項５に記載の発明によれば、第１リンクと第２リンクの自由端側は、長孔とそれに沿って摺動可能なピンとにより、前記夾角が所定範囲内に制限されるように相互に連結されている構成が極めて簡単且つ小型化することができるという効果を奏する。
【００１７】
請求項６に記載の発明によれば、前記ブレーキ部材を有する前記第１リンクは前記ヒンジ部側に配置されているものであるから、開放溝に対するブレーキ部材の挿抜作用を確実に発揮させることができる。
【００１８】
請求項７に記載の発明によれば、下部案内部材及び上部案内部材にそれぞれ回転体が転がり移動するので、移動体の移動が軽い力で可能となる。また、各回転体が案内部材に対して抜け不能であるから、上部ユニットケースを開くときに移動体が不用意に外れることもない。
【図面の簡単な説明】
【００１９】
【図１】（Ａ）は第１実施例の下部ユニットケースに対して上部ユニットケースが開いた途中の状態を示す斜視図、（Ｂ）は上部ユニットケースを閉じた状態の斜視図である。
【図２】（Ａ）は第１実施例の下部ユニットケースに対して上部ユニットケースが開いた途中の状態を示す概略側面図、（Ｂ）は上部ユニットケースを閉じた状態の概略側面図である。
【図３】（Ａ）は上部ユニットケースを閉じ方向に移動させる状態の移動体の要部拡大側面図、（Ｂ）は上部ユニットケースを開き方向に移動させる状態の移動体の要部拡大側面図である。
【図４】図３（Ａ）のIV−IV矢視拡大断面図である。
【図５】開放溝とブレーキ部材との寸法関係を示す平面図である。
【図６】（Ａ）は第２実施例の下部ユニットケースに対して上部ユニットケースが開いた途中の状態を示す概略側面図、（Ｂ）は上部ユニットケースを閉じた状態の概略側面図である。
【発明を実施するための形態】
【００２０】
本発明の第１実施例を図１〜図５を参照して説明する。
【００２１】
本実施例の画像記録装置１は、プリンタ機能、コピー機能、スキャナ機能、ファクシミリ機能を備えた多機能装置（ＭＦＤ：Multi Function Device ）に本発明を適用したものであり、図１及び図２に示すように、画像記録装置１における合成樹脂製の下部ユニットケース２の一側部に、上部ユニットケース３はヒンジ部４を介して上下回動可能に連結されている。
【００２２】
なお、図示しないが、下部ユニットケース２内にはインクジェット式等の記録部が給紙カセットより上側に配置されており、給紙カセットから給送された用紙（被記録媒体）が、後側に着脱可能に配置されたＵターン状の搬送経路体を介して記録部に搬送され、記録後の用紙は給紙カセットの上方であって下部ユニットケース２の側面に開口した開口部から排紙されるように構成されている。給紙カセットも開口部から差込み可能に配置されている。
【００２３】
上部ユニットケース３には、コピー機能やファクシミリ機能における原稿読取などのための原稿自動送り装置及び画像読取装置と、原稿載置用ガラス板及びその上面を覆う原稿カバー体と、各種操作ボタンや液晶表示部等を備えた操作パネル部とが設けられている（共に図示せず）。
【００２４】
次に、本発明の下部ユニットケース２と上部ユニットケース３とを開閉可能とする開閉装置について説明する。下部ユニットケース２には下部案内部材６がヒンジ部４側から開放端部側に延びるように設けられ、同様に上部ユニットケース３にも上部案内部材７がヒンジ部４側から開放端部側に延びるように設けられている。
【００２５】
第１実施例では、下部案内部材６はヒンジ部４側から開放端部側に向かって実質的に直線状に延びるように形成され且つ上部ユニットケース３が下部ユニットケース２に対して閉止した状態において下部案内部材６が水平状に配置される。このことを請求項では、「下部案内部材６はヒンジ部４側から開放端部側に向かって実質的に水平状且つ直線状に延びるように形成されている」と表現している。他方、上部案内部材７は、ヒンジ部４側から開放端部側に下向き凸湾曲線状に延びるように形成されている（図１（Ａ）、図２（Ａ）及び図２（Ｂ）参照）。
【００２６】
下部案内部材６と上部案内部材７とに沿って摺動可能に連結される移動体１０は画像記録装置１の側面視（ヒンジ部４の軸線と直交する平面視、以下同じ）で三角形状の第１リンク１１と第２リンク１２とを有する。図３（Ａ）、図３（Ｂ）及び図４に示すように、第１リンク１１と第２リンク１２の上端部は支軸１３を介して回動可能に連結されている。画像記録装置１の側面視において、第１リンク１１は支軸１３を挟んでヒンジ部４側に配置され、第２リンク１２は支軸１３を挟んで開放端部側に配置されている。
【００２７】
第１リンク１１と第２リンク１２の自由端側は、円弧状の長孔２０とそれに沿って摺動可能なピン２１とにより、支軸１３を中心とする第１リンク１１と第２リンク１２との夾角θが所定範囲内に制限されるように相互に連結されている。実施例では、第１リンク１１の側面に、支軸１３を中心とする円弧状の長孔２０が穿設されており、第２リンク１２の側面に突出するピン２１が長孔２０に摺動可能に嵌まっているが、長孔２０を第２リンク１２に設け、ピン２１を第１リンク１１に設けても良い。このように構成することにより、簡単な構成で夾角θを所定範囲内に制限することができる。
【００２８】
第１リンク１１と第２リンク１２との上部を連結する支軸１３には、第１回転体１７が回転可能に設けられ、第１リンク１１の下端のうちヒンジ部４に近い側には枢軸を介して第２回転体１８が回転可能に設けられ、さらに、第２リンク１２の下端のうち開放端部に近い側（ヒンジ部４から遠い側）には枢軸を介して第３回転体１９が回転可能に設けられている。
【００２９】
下部案内部材６及び上部案内部材７はそれぞれ断面コ字状の溝２２、２３を有している。下部案内部材６は下部ユニットケース２の上面２ａに設けられ、溝２２は下部ユニットケース２の側方の外面に向かって開口するように配置されている。上部案内部材７は上部ユニットケース３の側面板３ａの内面にて溝２３が内向きに開口するように配置されている（図４参照）。上部ユニットケース３が下部ユニットケース２に対して開閉する状態で、下向き凸湾曲状の上部案内部材７の中途部が下部ユニットケース２と干渉しないように、側面板３ａ及び上部案内部材７は下部ユニットケース２の側面板２ｂよりも外側に位置している（図４参照）。
【００３０】
第１回転体１７は上記溝２３内に沿って転がるように構成され、第２回転体１８と第３回転体１９が上記溝２２内に沿って転がるように構成されている。また、下部案内部材６及び上部案内部材７には、第１〜第３回転体１７、１８、１９が溝２３、２２から飛び出さないようにするためのガイド部２６、２７が設けられている（図４参照）。
【００３１】
第１リンク１１の下面には下向きに突出するようにブレーキ部材２５が設けられている。ブレーキ部材２５はゴムなどの弾力性を有する部材からなる。このブレーキ部材２５は後述するように、下部ユニットケース２に設けられた上向き開放溝１６に対して挿抜可能なものである。この場合、上向き開放溝１６は下部案内部材６に隣接され、それに沿って平行状に延びている。
【００３２】
上記の構成により、ユーザーが上部ユニットケース３を下部ユニットケース２に対して開放する動作につれて、移動体１０が上下両案内部材６、７に沿ってヒンジ部４側から開放端部方向に移動するように構成されている。また、上部ユニットケース３を下部ユニットケース２に対して閉止する動作につれて、移動体１０が上下両案内部材６、７に沿って開放端部からヒンジ部４の方向に移動するように構成されている。
【００３３】
上部ユニットケース３が下部ユニットケース２に対して開いた状態からゆっくりと閉めるためには、ユーザーは上部ユニットケース３の自由端側を支えて移動体１０に下向きの荷重を大きく掛けない状態で、当該上部ユニットケース３を閉止方向に下げる。これにより、移動体１０を軽快に移動させることができて、上部ユニットケース３を閉止することができる。
【００３４】
図３（Ａ）は、上部ユニットケース３が下部ユニットケース２に対して開閉する動作時に、任意の開閉角度位置で上部ユニットケース３を停止または制動する状態を示す。上部ユニットケース３の任意の開閉角度位置で、当該上部ユニットケース３からユーザーの手を離すと、当該上部ユニットケース３の自重により、第１回転体１７は上部案内部材７における溝２３の上面にて下向きに押される。他方、第２回転体１８と第３回転体１９が下部案内部材６における溝２２の下面に当りながら開放端部方向に移動する。この時、第１実施例では、上向き開放溝１６の幅寸法をいずれの箇所でも同じ（平行溝状）とし、ブレーキ部材２５の幅寸法を上向き開放溝１６の幅寸法より若干大きいように設定する。但し、ブレーキ部材２５の下端の幅寸法は、上向き開放溝１６のいずれの箇所の幅寸法よりも小さく設定する。このように構成すれば、上向き開放溝１６のいずれの箇所においても、第１リンク１１側のブレーキ部材２５の下端が上向き開放溝１６に挿入され、ブレーキ部材２５の弾性変形により、ブレーキ部材２５の側面と上向き開放溝１６の内壁との摩擦抵抗が生じる。そのため、第２リンク１２の開放端部方向への移動速度よりも第１リンク１１の移動速度が遅くなり、第１リンク１１と第２リンク１２とはその夾角θが広がる方向に変位する。そうすると、ブレーキ部材２５は上向き開放溝１６に深く入り込み、ブレーキＯＮ作用が発揮される。このブレーキ作用が大きくなり、移動体１０が停止すると、下部ユニットケース２に対して開閉する動作時に、任意の開閉角度位置で上部ユニットケース３を停止させることができる。
【００３５】
上部ユニットケース３を下部ユニットケース２に対して完全閉止させるには、下部ユニットケース２に対する上部ユニットケース３の閉止終わりに近い状態まで、ユーザーは上部ユニットケース３を支えていることが好ましい。
【００３６】
ブレーキ部材２５が上向き開放溝１６に入り込んだ状態で、上部ユニットケース３を開くために、ユーザーが当該上部ユニットケース３の開放端部などに上向きの力を加えると、上部ユニットケース３はヒンジ部４の箇所を中心に上向きに可動するので、ヒンジ部４に近い側の第２回転体１８の上面が下部案内部材６における溝２２の上面に当り、この当接点を中心にして第１リンク１１は反時計廻りに回動する。これにより、第１リンク１１の下面のブレーキ部材２５は上向き開放溝１６から確実に抜け出る（ブレーキＯＦＦ作用が発揮される）。
【００３７】
上部ユニットケース３を開く時、移動体１０がヒンジ部４側へ移動始めると、ブレーキ部材２５が溝２２に嵌まり、摩擦があるため、その反力として、ブレーキ部材２５に開放端側への力が掛かる。このことにより、第２回転体１８を中心として移動体１０は図３（Ａ）において反時計方向に回転が起こり、ブレーキ部材２５が溝２２から抜けると共に、第２リンク体１２の第３回転体１９も自然にヒンジ部４側に移動して第１リンク１１と第２リンク体１２との夾角θが狭まる方向に変位する。
【００３８】
その後の上部ユニットケース３を下部ユニットケース２に対して開放する動作時には、図３（Ｂ）に示すように、第１回転体１７が上部案内部材７の溝２３の下面で上向きの力を受ける一方、第２回転体１８と第３回転体１９が下部案内部材６における溝２２の上面に当接しながら、移動体１０はヒンジ部４方向（図３（Ｂ）で左方向）に軽快に移動することができる。従って、上部ユニットケース３を軽く開くことができる。
【００３９】
第２実施例として、図５に示すように、上向き開放溝１６の幅寸法が、ヒンジ部４側で広く、開放端部に近づくに従って狭くなるように傾斜形成されている。即ち、ヒンジ部４側端での上向き開放溝１６の幅寸法Ｊ１であり、開放端部側での上向き開放溝１６の幅寸法Ｊ２（＜Ｊ１）と設定されている。他方、ブレーキ部材２５の平断面は、ヒンジ部４側での幅寸法Ｈ１で、且つ開放端部側での幅寸法Ｈ２（＜Ｈ１）となる台形とする。そして、上向き開放溝１６の伸びる方向の予め設定された位置（例えば、上向き開放溝１６の伸びる方向の全長のほぼ半分の位置）での当該上向き開放溝１６の幅寸法よりも、前記幅寸法Ｈ１及びＨ２がそれぞれ若干大きいように設定されている。また、ブレーキ部材２５の下端の幅寸法は、上向き開放溝１６のいずれの箇所の幅寸法よりも小さく設定されている。このように構成すれば、ヒンジ部４に近い側では、挿入されるブレーキ部材２５は上向き開放溝１６の内壁と若干隙間を有して抵抗を受けることがないが、ブレーキ部材２５と上向き開放溝１６の両者の幅寸法が一致する箇所から開放端部側に近づくに従って、挿入されるブレーキ部材２５の側面と上向き開放溝１６の内壁との摩擦抵抗が大きくなり、ブレーキＯＮ作用が強くなる。
【００４０】
従って、この上向き開放溝１６に対するブレーキ部材２５の押し込みの楔力により、移動体１０が下部案内部材６に沿って移動することが阻止されるかまたはその方向の移動速度が極端に低下することになる。特に、下部ユニットケース２に対する上部ユニットケース３の閉止方向終わり段階で、移動体１０の移動速度を大幅に低下させることで、上部ユニットケース３の閉止時に下部ユニットケース２に急激に衝突して大きな異音を発生させることがないのである。
【００４１】
また、第１実施例では、下部案内部材６がヒンジ部４側から開放端部側に向かって実質的に水平状且つ直線状に延びるように形成され、上部案内部材７がヒンジ部４側から開放端部側に下向き凸湾曲線状に延びるように形成されているものであったが、図６（Ａ）及び図６（Ｂ）に示すように、上部案内部材７がヒンジ部４側から開放端部側に向かって実質的に水平状且つ直線状に延びるように形成され、下部案内部材６がヒンジ部４側から開放端部側に上向き凸湾曲線状に延びるように形成されているように構成し、開放溝は上部ユニットケース３側に下向きに形成すれば、第１実施例と同様の作用効果を奏する。また、両実施例共に、移動体１０をヒンジ部４に接近する方向に移動させることで、下部ユニットケース２に対して上部ユニットケース３を大きい角度で開くことができる。
【００４２】
本発明は上記の実施形態の他、発明の要旨を逸脱しない範囲で種々の実施形態を採用することができる。例えば、下部ユニットケース２及び上部ユニットケース３は種々の電気製品や家具などの什器類に対して適用できる。
【符号の説明】
【００４３】
１画像記録装置
２下部ユニットケース
３上部ユニットケース
４ヒンジ部
６下部案内部材
７上部案内部材
１０移動体
１１第１リンク
１２第２リンク
１６上向き開放溝
１７第１回転体
１８第２回転体
１９第３回転体
２０長孔
２１ピン
２２下部案内部材の溝
２３上部案内部材の溝
２５ブレーキ部材
【図１】
2011245827.tif 000003
【図２】
2011245827.tif 000004
【図３】
2011245827.tif 000005
【図４】
2011245827.tif 000006
【図５】
2011245827.tif 000007
【図６】
2011245827.tif 000008